(57)【要約】【課題】横方向のみならず、手前又は奥行き方向へも延長することができる組立家具を提供する。【解決手段】ダボ穴９を設けたホゾ８を両端に突設した一対の受け板３と、その受け板３のホゾ８を差し込み可能なホゾ穴７を備えた一対の側板２と、各ダボ穴９に嵌入可能なダボ６とを有し、水平状態で平行に配した一対の受け板３両端のホゾ８を夫々側板のホゾ穴７に差し込み、側板２の外側でダボ穴９にダボ６を嵌入させることで、両側板間で各受け板３を架設可能とした組立家具であって、各受け板３に、少なくとも受け板の厚み分の幅を有する切欠部１０を、架設される受け板３の間隔に合わせて一対形成し、該受け板３と他の同じ組立家具１ａの受け板３ａとを切欠部同士で互いに嵌合させることで、四本の受け板を同じ高さで井桁状に組み合わせて、他の同じ組立家具を平面交差状に連結可能とした。【選択図】  図１
2004248903.tif 000002
【特許請求の範囲】
【請求項１】
ダボ穴を設けたホゾを両端に突設した少なくとも一対の受け板と、その受け板のホゾを差し込み可能なホゾ穴を備えた一対の側板と、各ダボ穴に嵌入可能なダボと、受け板の上面に載置可能な棚板とを有し、水平状態で平行に配した受け板両端のホゾを夫々側板のホゾ穴に差し込み、側板の外側でダボ穴にダボを嵌入させることで、両側板間で受け板を架設可能とした組立家具であって、
各受け板における水平方向の辺部に、少なくとも受け板の厚み分の幅を有する切欠部を、架設される受け板の間隔に合わせて一対形成し、他の同じ組立家具の受け板を切欠部同士で互いに嵌合させることで、四本の受け板を同じ高さで井桁状に組み合わせて、他の同じ組立家具を平面交差状に連結可能としてなる組立家具。
【請求項２】
受け板の水平方向の辺部に設ける切欠部を、架設される受け板の間隔に合わせて上下逆の辺部へ開口するものとし、該受け板の切欠部と上下の順が逆となっている他の受け板の切欠部とを互い違いに嵌合させることで、四本の受け板を同じ高さで組み合わせ可能とした請求項１に記載の組立家具。
【請求項３】
受け板の間隔を変更可能としたものにおいては、受け板の切欠部を、変更される受け板の位置に合わせて複数設けた請求項１に記載の組立家具。
【請求項４】
ダボ穴を設けたホゾを両端に突設した少なくとも一対の受け板と、その受け板のホゾを差し込み可能なホゾ穴を備えた一対の側板と、各ダボ穴に嵌入可能なダボと、受け板の上面に載置可能な棚板とを有し、水平状態で平行に配した受け板両端のホゾを夫々側板のホゾ穴に差し込み、側板の外側でダボ穴にダボを嵌入させることで、両側板間で受け板を架設可能とした組立家具であって、
他の同じ組立家具を上方に重ねた状態で上下の側板のホゾ穴に夫々対応した第２のホゾ穴を有する接合板を備え、その接合板を上下の側板間の外側にあてがい、下方の組立家具の受け板のホゾを下方の側板と接合板との両ホゾ穴に、上方の組立家具の受け板のホゾを上方の側板と接合板との両ホゾ穴に夫々貫通させてダボを嵌入させることで、接合板を用いて他の組立家具を上方に連結可能としてなる組立家具。
【発明の詳細な説明】
【０００１】
【発明の属する技術分野】
本発明は、ネジや工具等を必要とせずに容易に組み立てが可能であり、また必要に応じて適宜延長可能な組立家具に関するものである。
【０００２】
【従来の技術】
従来、特許文献１に開示されているような組立家具が知られており、図１０は該組立家具９１を示した図である。これは、複数のホゾ穴９２、９２・・が備えられた一対の側板９３、９３の間に、ダボ穴９４を設けたホゾ９５を両端に突設した一対の受け板９６、９６の各ホゾ９５を、各ホゾ穴９２に水平且つ平行になるように差し込んで、ダボ穴９４に嵌入したダボ９７によりホゾ９５を側板９３に抜け止めした状態で架設し、受け板９６に嵌合可能な溝９８を設けた棚板９９を、一対の受け板９６、９６に上方から嵌合することで棚を形成した組立家具９１であり、棚はホゾ穴９２に合わせて複数段形成可能となっている。また、図９に示されているように、側板９３に備えられたホゾ穴９２は、水平方向にも複数個備えられており、受け板９６を内と外のホゾ穴９２、９２・・に交互に抜け止めすることによって、棚を同じ高さで横方向に延長することができる構造となっている。
【０００３】
【特許文献１】
米国特許第５２７９２３２号明細書
【０００４】
【発明が解決しようとする課題】
しかしながら、従来の組立家具は、横方向に延長することは可能であるが、手前又は奥行き方向へ延長することはできなかった。そのため、部屋の隅等で手前に延長したい時には、扱いにくいものとなっていた。
また、従来の組立家具は、最初に組み立てる際に用いた側板の高さよりも、垂直方向へ延長することができなかった。そのため、一度組み立てて使用してしまうと側板の高さ内でしか調整がつかず、また部屋の模様替え等の際にどうしても高さをより高くしたい時には、一度分解してより高い側板に変える必要があり、大変な労力を必要としていた。
【０００５】
そこで、本発明の第一の目的は、横方向のみならず、手前又は奥行き方向へも延長することができる組立家具を提供することにある。
また、本発明の第二の目的は、分解することなく容易に垂直方向に延長可能な組立家具を提供することにある。
【０００６】
【課題を解決するための手段】
上記目的を達成するために、請求項１に記載の発明の構成は、ダボ穴を設けたホゾを両端に突設した少なくとも一対の受け板と、その受け板のホゾを差し込み可能なホゾ穴を備えた一対の側板と、各ダボ穴に嵌入可能なダボと、受け板の上面に載置可能な棚板とを有し、水平状態で平行に配した受け板両端のホゾを夫々側板のホゾ穴に差し込み、側板の外側でダボ穴にダボを嵌入させることで、両側板間で受け板を架設可能とした組立家具であって、各受け板における水平方向の辺部に、少なくとも受け板の厚み分の幅を有する切欠部を、架設される受け板の間隔に合わせて一対形成し、他の同じ組立家具の受け板を切欠部同士で互いに嵌合させることで、四本の受け板を同じ高さで井桁状に組み合わせて、他の同じ組立家具を平面交差状に連結可能としてなることにある。
請求項２に記載の発明の構成は、請求項１に記載の構成に加えて、受け板の水平方向の辺部に設ける切欠部を、架設される受け板の間隔に合わせて上下逆の辺部へ開口するものとし、該受け板の切欠部と上下の順が逆となっている他の受け板の切欠部とを互い違いに嵌合させることで、四本の受け板を同じ高さで組み合わせ可能としたことにある。
請求項３に記載の発明の構成は、請求項１に記載の構成に加えて、受け板の間隔を変更可能としたものにおいては、受け板の切欠部を、変更される受け板の位置に合わせて複数設けたことにある。
また請求項４に記載の発明の構成は、ダボ穴を設けたホゾを両端に突設した少なくとも一対の受け板と、その受け板のホゾを差し込み可能なホゾ穴を備えた一対の側板と、各ダボ穴に嵌入可能なダボと、受け板の上面に載置可能な棚板とを有し、水平状態で平行に配した受け板両端のホゾを夫々側板のホゾ穴に差し込み、側板の外側でダボ穴にダボを嵌入させることで、両側板間で受け板を架設可能とした組立家具であって、他の同じ組立家具を上方に重ねた状態で上下の側板のホゾ穴に夫々対応した第２のホゾ穴を有する接合板を備え、その接合板を上下の側板間の外側にあてがい、下方の組立家具の受け板のホゾを下方の側板と接合板との両ホゾ穴に、上方の組立家具の受け板のホゾを上方の側板と接合板との両ホゾ穴に夫々貫通させてダボを嵌入させることで、接合板を用いて他の組立家具を上方に連結可能としてなることにある。
【０００７】
【発明の実施の形態】
〔実施例１〕
以下、本発明の実施例１であり、手前又は奥行き方向へ延長可能な木製の組立家具のコーナー部を図面に基づいて説明する。
【０００８】
図１及び図２は組立家具１と組立家具１ａとを連結させて組み立てる状態を示す分解斜視図であり、図３は連結後の完成斜視図である。組立家具１及び１ａは同じ構造であるため組立家具１を中心にその構造を説明する。
【０００９】
組立家具１は、側板２、受け板３、棚板４、コーナー棚板５及びダボ６とからなっており、全て木製である。
側板２は側面が略長方形状の薄い木板であり、側面には複数個のホゾ穴７、７・・が備えられている。ホゾ穴７は長円形状であり、水平一列につき側板２の両長辺側に分かれてそれぞれ二個ずつ計四個備えられており、これを一段として側板２の垂直方向に複数段ホゾ穴７、７・・が備えられている。
【００１０】
図４は受け板３の部分拡大図である。受け板３は、梁状の直方体の角材であり、長手方向の両端にはそれぞれホゾ８、８が突設されている。ホゾ８の断面形状はホゾ穴７と一致しており、よってホゾ穴７に差し込み可能となっている。また、ホゾ８には略円形のダボ穴９が設けられており、ホゾ８をホゾ穴７に差し込んだ状態でダボ穴９にダボ６を嵌入することで受け板３は側板２に抜け止めされる。ダボ６は、断面が略半円の棒状部材であり、長さはホゾ穴７の軸方向の長さよりも少し長くなっている。
また、受け板３の水平方向の辺部には長方形状の切欠部１０、１０が形成されている。該切欠部１０の切り欠き幅は受け板３の厚さと一致しており、切り欠き深さは受け板３の高さの半分となっているため、図４で示されているように、切欠部１０と、他の同じ組立家具１ａの受け板３ａの切欠部１０ａとを嵌合することで受け板３、３ａを嵌着させた場合に、嵌着部が凹凸となることはなく、同じ高さで井桁状に組み合わされる。ここでの図１及び４で示されている各受け板３における切欠部１０、１０間の間隔は、側板２において一列に四個並んでいるホゾ穴７、７・・の内二個の間隔と同じとなるように形成される。なお、外二個のホゾ穴７を使用する場合は、切欠部１０、１０間の間隔をホゾ穴７、７・・の外二個の間隔と同じにすればよい。
【００１１】
棚板４は長方形状の薄い木板であり、短辺の長さは側板２の短辺の長さと同じになっている。また、底面には溝１１、１１・・が長手方向に四本設けられている。溝１１の幅は受け板３の厚さと同じになっており、受け板３に嵌合可能となっている。また、溝１１、１１・・間の間隔は、側板２において一列に四個並んでいるホゾ穴７、７・・間の間隔と同様になっている。
【００１２】
コーナー棚板５は略正方形状で棚板４と同じ厚さの薄い木板であり、一辺の長さは棚板４の短辺の長さと同じになっている。また、底面には溝１２、１２・・が一辺に四本ずつ格子状に設けられており、溝１２の幅及び溝１２、１２・・間の間隔は、溝１１の幅及び溝１１、１１・・間の間隔とそれぞれ同じとなるように設けられており、また溝の深さも同じように設けられている。そのため、棚板４とコーナー棚板５を連設すると、溝１１、１１・・及び溝１２、１２・・はそれぞれ途切れることなく一本の溝となる。
【００１３】
次に組立家具１と組立家具１ａとの組立手順を図１〜図３に沿って説明する。まず、一方の側板２に備えられた所望の高さにあるホゾ穴７、７・・の内二個に、一対の受け板３の切欠部１０が形成されていない側のホゾ８を、切欠部１０の開口部が上側に向くような状態でそれぞれ差し込み、ダボ穴９にダボ６をそれぞれ嵌入することで各受け板３を一方の側板２に抜け止めする。次に、各受け板３がそれぞれ水平に且つ平行となるように、各受け板３の切欠部１０が形成されている側のホゾ８を、もう一方の側板２に備えられたホゾ穴７に差し込み、ダボ６を用いてもう一方の側板２に各受け板３を抜け止めする。
【００１４】
その次には、もう一対の受け板３ａの切欠部１０ａを切欠部１０にそれぞれ嵌合する。ここで、受け板３及び３ａに形成された切欠部１０間の間隔及び切欠部１０ａ間の間隔は、ホゾ穴７、７・・の内二個間の間隔とそれぞれ同じ間隔となっており、また切り欠き深さは受け板３の高さの半分となっているため、受け板３と３ａの嵌着部は凹凸なく平らになる。この状態で、各受け板３ａの両端に突設されたホゾ８ａを、もう一対の側板２ａに備えられたホゾ穴７ａに、各受け板３ａが平行且つ水平となるようにそれぞれ差し込み、ダボ６ａを用いて各側板２ａにそれぞれ抜け止めする。
【００１５】
さらにその次に、棚板４に設けられた溝１１、１１を各受け板３、３に嵌合して、棚板４を載置する。この際、棚板４に設けられた溝１１、１１・・間の間隔はホゾ穴７、７・・間の間隔と同じになっているため、図１、２の場合には、溝１１、１１・・のうち内二本の溝が受け板３、３と嵌合する。同様にして、棚板４ａを受け板３ａ、３ａの上面に載置する。
最後に、コーナー棚板５を、受け板３と受け板３ａの嵌着部上に、底面に設けられた溝１２、１２・・を受け板３及び３ａにそれぞれ嵌合させて載置する。コーナー棚板５に設けられた溝１２、１２・・は棚板４に設けられた溝１１、１１・・と溝同士の間隔も溝の深さも同様に設けられているため、載置後は棚板４、４ａ及びコーナー棚板５の表面は凹凸無く、平らとなる。
【００１６】
なお、ホゾ穴７、７・・の外二個を用いて連結する際には、切欠部１０、１０間の間隔がホゾ穴７、７・・の外二個間の間隔と同じ間隔になっている受け板を使用すれば、上記同様に組み立てることができる。棚板４には四本、コーナー棚板５には格子状に四本ずつそれぞれ溝が設けられているため、どちらの受け板を用いた際にも対応することができる。
さらに、横方向に延長したい場合は従来技術同様にして延長することが可能である。同じ高さの棚を延長したい場合でも、ホゾ穴が一列に四個ずつ備えられているため、内・外と交互に使用すれば延長することが可能である。
【００１７】
またさらに、図１１で示すように、側板２に受け板３を抜け止めする際、受け板３と側板２の間に補強部材１３を介在させることも可能である。補強部材１３には、側板２に備えられているホゾ穴７と同様のホゾ穴１４が備えられている。補強部材１３を介在させるため、補強部材１３に嵌合可能な溝１５を棚板４の長手方向の両端にそれぞれ設ける。そうすることで、棚板４は受け板３及び補強部材１３の上面で支持されることとなり、組立家具１の強度が増す。なお、補強部材１３の高さを受け板３の高さと同じとし、棚板４には全く溝を設けず、単に棚板４を受け板３及び補強部材１３の上面に載置するものとしてもよい。また、補強部材１３の高さを任意の高さに設定し、補強部材１３のみによって棚板４を支持することも可能である。そうすることで、棚板を載置する高さをより細かく設定することができる。
以上のようにして、組立家具１と組立家具１ａとを平面Ｌ字状に連結した状態で組み立てることができる。
【００１８】
上記の如く構成された組立家具１、１ａは工具等を用いることなく容易に組み立てることができ、また横方向に延長できるだけでなく、部屋の隅等で手前又は奥行き方向に延長したい場合であっても、容易に延長することができる。さらに、棚を同じ高さで延長することも可能である。
加えて、組立家具１、１ａは上記した平面Ｌ字状の延長以外に、切欠部の位置を変えることでＴ字状や十字状に延長・連結することも可能である一方、分離させて単独で使用することも可能である。つまり、延長や切離が自由にできる構造となっている。
【００１９】
なお、組立家具１、１ａに図５で示されている受け板５１を用いることも可能である。これは、受け板５１の辺部に切欠部５２を上下逆の辺部へ開口するように設けたものである。この受け板５１を図５の矢印で示されているように互い違いに組むことで、受け板の連結部の強度がより増すことになる。
【００２０】
また、図６で示されている受け板６１を用いることも可能である。これは、受け板６１の辺部に切欠部６２を四箇所形成したものである。このように切欠部６２を形成すると、外のホゾ穴を用いて組み立てる場合と内のホゾ穴を用いて組み立てる場合とに、切欠部の間隔が異なる別の受け板をそれぞれ使い分ける必要がなく、非常に便利である。
【００２１】
〔実施例２〕
次に、本発明の実施例２であり、垂直方向へ延長可能な木製の組立家具を図面に基づいて説明する。
【００２２】
図７及び図８は組立家具７１、７１ａとを上下に連結させて組み立てる状態を示す分解拡大図であり、図９は連結後の完成斜視図である。なお、ここでも組立家具７１と７１ａとは同じ構造であるため、組立家具７１を中心にその構造を説明する。
【００２３】
組立家具７１の連結部は、側板７２、受け板７３、接合板７４及びダボ７５とからなっており、全て木製である。
側板７２は、実施例１で用いられた側板２と同様に形成されており、ホゾ穴７６、７６・・の位置及び間隔等も実施例１のホゾ穴７、７・・と同様に、側板７２に備えられている。受け板７３は梁状の直方体の角材で、両端部にはホゾ７７、７７が突設されており、該ホゾ７７には円形のダボ穴７８がそれぞれ設けられている。しかし、実施例１の受け板３とは異なり、辺部に切欠部は形成されておらず、ホゾ７７の長さは側板７２と後で説明する接合板７４との２枚を貫通することに対応できる長さとなっている。また、ダボ７５も実施例１のダボ６と同様に形成されている。
【００２４】
接合板７４は略長方形状の薄い木板であり、短辺の長さは側板７２に備えられたホゾ穴７６の幅よりも少し太い程度となっている。また、接合板７４には、側板７２に備えられているホゾ穴７６と同様に第２のホゾ穴であるホゾ穴７９が、一列に一個ずつ二段にわたって計二個備えられている。ホゾ穴７９、７９の列と列との間隔は、側板７２の最上列に備えられたホゾ穴と延長するために取り付ける側板の最下列に備えられたホゾ穴との間隔と同様になっており、側板７２の上にさらに側板７２をのせ、その側板間の外側に接合板をあてがった時に、側板７２のホゾ穴７６と接合板のホゾ穴７９とが完全に一致するようになっている。
【００２５】
次に、接合板７４を用いて、組立家具７１と７１ａとを上下に連結する手順を、図７〜図９に沿って説明する。
延長したい側板７２の一番上列に備えられたホゾ穴７６、７６・・の外二個に、一対の受け板７３、７３のホゾ７７、７７をそれぞれ差し込む。次に二枚の接合板７４、７４の下列のホゾ穴７９、７９を、差し込まれたホゾ７７、７７に外側からそれぞれ嵌め込む。その状態でダボ穴７８、７８にダボ７５、７５をそれぞれ嵌入することにより、各受け板７３及び各接合板７４を側板７２に固定する。
【００２６】
また次に、延長用の側板７２ａを側板７２の上に載置する。ここで、側板７２ａの一番下列に備えられたホゾ穴７６ａと、各接合板７４に備えられたホゾ穴７９とがそれぞれ完全に一致する。そこで、もう一対の受け板７３ａ、７３ａのホゾ７７ａ、７７ａを一致している側板７２ａのホゾ穴７６ａ、７６ａと各接合板７４、７４の上列のホゾ穴７９ａ、７９ａとに貫通させる。その状態でダボ７５ａ、７５ａを各ダボ穴７８ａにそれぞれ嵌入し、もう一対の受け板７３ａ、７３ａと二枚の接合板７４、７４を側板７２ａに固定することで、側板７２と側板７２ａとが連結される。
【００２７】
以上のようにして、組立家具７１と７１ａとを上下に連結して垂直方向に延長することが可能である。また組立家具７１は、側板７２に実施例１同様のホゾ穴が備えられているため、従来技術同様に横方向に延長することも可能である。
【００２８】
上記の如く構成された組立家具７１は、垂直方向に延長したい場合にでも、より高い側板と交換することなく、接合板７４を用いるだけで工具等を用いることなく容易に延長することが可能である。
【００２９】
ここで図１２に示すように、組立家具７１を延長する際に、受け板７３を用いず、受け板７３のホゾ７７と似たような形態の連結部材８０を用いることも可能である。連結部材８０は、略長方形状でホゾ７７と同じ厚さを有しているが、ダボ穴８１、８１は側板７２と接合板７４との二枚の厚さ分だけ離れて二個設けられている。受け板のホゾをホゾ穴に差し込む代わりに、この連結部材８０を差し込んで、各連結部材８０に二個ずつ設けられた各ダボ穴８１にそれぞれダボ８２、８２・・を嵌入することにより連結部材８０は側板７２に抜け止めされ、上下の側板７２と７２ａとが連結されることとなる。
このような、連結部材８０を用いることで、分解することなく、より容易に側板を延長することが可能となる。
【００３０】
なお、本発明にかかる組立家具の構成は、上記した実施例の態様に何ら限定されるものではなく、側板、受け板、ホゾ穴や接合板等の構成を、本発明の趣旨を逸脱しない範囲で適宜変更することができる。
【００３１】
例えば、接合板についても実施例の形状に何ら限定されず、より長さを長くしてホゾ穴を多数備えることで、側板の所望のホゾ穴を用いて側板同士を連結可能としてもよい。また幅を太くして一列にホゾ穴を二個備えるものとしてもよい。そうすることで、上の列は内のホゾ穴、下の列は外のホゾ穴を用いて上下の側板を連結したい場合にでも対応可能となる。さらに接合板を側板の外側だけに取り付けずに、側板の内外両側に取り付けるものとしてもよい。そうすることで、連結部の強度が増し、組立家具の耐久性が増す。
【００３２】
側板に備えられるホゾ穴についても実施例の形状には限定されず、ホゾ穴同士の間隔を変更し、例えば等間隔とすることは可能である。また受け板、ダボ穴、ホゾ穴、棚板、コーナー棚板、側板、ダボ及びホゾの形状も本発明の趣旨を逸脱しない範囲で適宜変更することができる。例えば受け板の上部を曲線状とし、棚板に設ける溝をその形状にあわせたものとしてもよいし、ダボ穴の形状を長方形としてもよい。また実施例１と実施例２との両方に対応できる受け板として、実施例２で使用可能な長さとされたホゾに二箇所ダボ穴を設けたものとしてもよい。
さらに、実施例では全ての部品を木製としたが、プラスチック等の合成樹脂製や金属製としても何ら問題はない。
【００３３】
【発明の効果】
請求項１に記載の組立家具によれば、工具等を用いることなく容易に組み立てることができ、また横方向に延長できるだけでなく、部屋の隅等で手前又は奥行き方向に延長したい場合であっても、容易に延長することができる上、棚を同じ高さで延長することも可能である。
さらに、切欠部の位置の異なる受け板を用いることで平面Ｌ字状の延長以外に、Ｔ字状や十字状に延長・連結することも可能である一方、分離させて単独で使用することも可能である。つまり、延長や切離が自由にできる構造となっている。
さらにまた、請求項２に記載の組立家具によれば、受け板の辺部に切欠部を上下逆の辺部へ開口するように設けたものであり、受け板の向きを変えて受け板の切欠部同士を互い違いに組むものであるため、受け板の連結部の強度がより増したものとなる。
加えて請求項３に記載の組立家具によれば、外のホゾ穴を用いてコーナー部を組み立てる場合と内のホゾ穴を用いてコーナー部を組み立てる場合とに、切欠部の間隔が異なる別の受け板をそれぞれ使い分ける必要がなく、非常に便利である。
また、請求項４に記載された家具は、垂直方向に延長したい場合にでも、一度分解して、より高い側板と交換することなく、接合板を用いるだけで工具等を用いることなく容易に延長することが可能である。
【図面の簡単な説明】
【図１】実施例１の２つの組立家具を連結して組み立てる状態を示す分解斜視図である。
【図２】実施例１の２つの組立家具を連結して組み立てる状態を示す分解斜視図である。
【図３】実施例１の２つの組立家具の連結状態の完成斜視図である。
【図４】実施例１の組立家具に用いる受け板の部分拡大図である。
【図５】受け板の変更例を示す参考図である。
【図６】受け板の変更例を示す参考図である。
【図７】実施例２の２つの組立家具を連結して組み立てる状態を示す分解拡大図である。
【図８】実施例２の２つの組立家具を連結して組み立てる状態を示す分解拡大図である。
【図９】実施例２の２つの組立家具の連結状態の完成斜視図である。
【図１０】従来技術の組立家具を示す分解斜視図である。
【図１１】補強部材を用いて、実施例１の組立家具を組み立てる状態を示す分解拡大図である。
【図１２】連結部材を用いて、実施例２の２つの組立家具を連結する状態を示す分解拡大図である。
【符号の説明】
１、１ａ、７１、７１ａ、９１・・組立家具、２、７２、９３・・側板、３、５１、６１、７３、９６・・受け板、４、９９・・棚板、５・・コーナー棚板、６、７５、８２、９７・・ダボ、７、１４、７６、７９、９２・・ホゾ穴、８、７７、９５・・ホゾ、９、７８、８１、９４・・ダボ穴、１０、５２、６２・・切欠部、１１、１２、９８・・溝、１３・・補強部材、７４・・接合板、８０・・連結部材。
【図１】
2004248903.tif 000003
【図２】
2004248903.tif 000004
【図３】
2004248903.tif 000005
【図４】
2004248903.tif 000006
【図５】
2004248903.tif 000007
【図６】
2004248903.tif 000008
【図７】
2004248903.tif 000009
【図８】
2004248903.tif 000010
【図９】
2004248903.tif 000011
【図１０】
2004248903.tif 000012
【図１１】
2004248903.tif 000013
【図１２】
2004248903.tif 000014